(57)【要約】【課題】施術者のマッサージの手技を評価可能で安価なマッサージ手技評価装置を提供する。【解決手段】人体の所定部位を模擬した被マッサージ部材１０と、被マッサージ部材１０の表面に付加される圧力を測定可能な圧力センサ２８ａ乃至２８ｄを有するセンサ部材２０とを備えたマッサージ手技評価装置１であって、被マッサージ部材１０は、センサ部材２０に対して着脱可能に取り付けられるよう構成されている。【選択図】図１
2020173298.tif 000002
【特許請求の範囲】
【請求項１】
人体の所定部位を模擬した被マッサージ部材と、
該被マッサージ部材に付加される荷重を測定可能なセンサを備えたセンサ部材とを備えたマッサージ手技評価装置であって、
前記被マッサージ部材は、センサ部材に対して着脱可能に取り付けられるマッサージ手技評価装置。
【請求項２】
前記被マッサージ部材及び前記センサ部材の少なくとも一方には、前記被マッサージ部材が前記センサ部材に対してその平面方向に移動するのを防止する移動防止部材が形成されている請求項１に記載のマッサージ手技評価装置。
【請求項３】
前記センサ部材は、少なくとも３つ以上のセンサを備え、
該センサは、それぞれセンサ部材の平面方向の異なる位置に設けられている請求項１又は２に記載のマッサージ手技評価装置。
【請求項４】
前記センサ部材によって測定された荷重を一の軸とし、時間を他の軸とするグラフを作成するデータ処理部と、
該グラフの荷重のピーク値が所定の閾値外になると、警報を発する警報発生部とをさらに備えた請求項１乃至３いずれか記載のマッサージ手技評価装置。
【請求項５】
前記センサ部材によって測定された荷重を一の軸とし、時間を他の軸とするグラフを作成するデータ処理部と、
該グラフをリアルタイムに表示する表示部とを備えた請求項１乃至４いずれか記載のマッサージ手技評価装置。
【請求項６】
前記データ処理部は、予め前記グラフに関する情報を記憶し、予め記憶されたグラフとリアルタイムのグラフを同時に前記表示部に表示させる請求項５記載のマッサージ手技評価装置。
【発明の詳細な説明】
【技術分野】
【０００１】
本発明は、施術者のマッサージの手技を評価可能なマッサージ手技評価装置に関する。
【背景技術】
【０００２】
店頭において、マッサージクリームなどのスキンケア用品を販売する際に、その効果を需要者に知ってもらうため、販売員は、デモンストレーションを行う場合がある。デモンストレーションの手順や手の動き、スキンケア用品の使用方法などに関し、販売員は、マニュアルを読んだり、また動画を見ることによって、理解している。一方、スキンケア用品を塗る際の力加減に関しては、販売員が熟練者の施術を体験することによって習得している。この熟練者の力加減は、感覚的で曖昧なものであるため、その技術を販売員に分かり易く正確に伝えることは困難である。同様に、エステなど施術の現場においても、施術者が熟練者の施術を体得するのは、容易ではない。
【０００３】
このため、例えば、人体の所定部位を模擬した被マッサージ部材内に圧力センサを設けて、その被マッサージ部材に加えられる圧力を測定することによって、施術者の手技を評価するマッサージ手技評価装置が提案されている（特許文献１）。
【先行技術文献】
【特許文献】
【０００４】
【特許文献１】特開２００８−８３６２４号公報
【発明の概要】
【発明が解決しようとする課題】
【０００５】
ところで、人体の様々な部位に対しマッサージを行う場合、部位によって力加減が異なるため、人体の様々な部位を模擬した被マッサージ部材を用意する必要がある。この点に関し、特許文献１に記載されたマッサージ手技評価装置は、センサが人体の所定部位を模擬した被マッサージ部材に内蔵されているため、センサを内蔵された様々な部位を用意しなければならないが、センサは、比較的高価であるので、様々な人体の部位を用意することは、コストが嵩むという課題がある。また、センサが被マッサージ部材に設けられているので、他の部位の被マッサージ部材に交換する際、被マッサージ部材のセンサを装置に接続し直す等の手間がかかり非効率である。さらに、被マッサージ部材ごとにセンサのメンテナンスなどを行わなければならず、管理の負担が大きい。
【０００６】
本発明は、被マッサージ部材の交換が容易であり、被マッサージ部材の交換コストを抑えることができるマッサージ手技評価装置に関する。
【課題を解決するための手段】
【０００７】
本発明は、人体の所定部位を模擬した被マッサージ部材と、該被マッサージ部材の表面に付加される荷重を測定可能なセンサを有するセンサ部材とを備えたマッサージ手技評価装置であって、前記被マッサージ部材は、センサ部材に対して着脱可能に取り付けられるマッサージ手技評価装置を提供するものである。
【発明の効果】
【０００８】
以上のとおり、本発明に係るマッサージ手技評価装置によれば、被マッサージ部材の交換が容易であり、被マッサージ部材の交換コストを抑えることができるマッサージ手技評価装置を提供することができる。
【図面の簡単な説明】
【０００９】
【図１】本実施形態に係るマッサージ手技評価装置の縦断面概略図である。
【図２】本実施形態に係るマッサージ手技評価装置の斜視図である。
【図３】本実施形態に係るマッサージ手技評価装置の構成を示すブロック図である。
【図４】本実施形態に用いられるフォースプレートの概略構成を示す斜視図である。
【図５】センサのリアルタイムの動きを示すグラフである。
【図６】図６（ａ）は、荷重の方向を示す図であり、図６（ｂ）は、その荷重変化を示すグラフである。
【図７】図７（ａ）は、他の荷重の方向を示す図であり、図７（ｂ）は、その荷重変化を示すグラフである。
【図８】図８（ａ）は、他の荷重の方向を示す図であり、図８（ｂ）は、その荷重変化を示すグラフである。
【図９】図９（ａ）は、他の荷重の方向を示す図であり、図９（ｂ）は、その荷重変化を示すグラフである。
【図１０】センサの上下の閾値を示すグラフである。
【発明を実施するための形態】
【００１０】
次に、本発明の実施形態に係るマッサージ手技評価装置１について、図面に基づいて説明する。本実施形態に係るマッサージ手技評価装置１は、図１乃至３に示すように、人体の所定部位を模擬した被マッサージ部材１０、被マッサージ部材１０の表面に付加される荷重を測定可能なセンサを有するセンサ部材２０、センサ部材２０からの荷重データを処理するデータ処理部３０、警報を発生する警報発生部４０、及び荷重データの時間変化を示すグラフの画像を表示する表示部５０を備えている。本実施形態において、データ処理部３０、警報発生部４０及び表示部５０は、パーソナルコンピュータ６０に搭載されており、センサ部材２０は、このパーソナルコンピュータ６０に接続されている。
【００１１】
被マッサージ部材１０は、図１に示すように、人体の頭部の一部を模擬した被マッサージ部材本体１２と、被マッサージ部材本体１２の底面に設けられた固定板１４とを備える。
【００１２】
被マッサージ部材本体１２は、人体の頭部の顔面側１２ａの約半分のみを模したものであり、顔面側の表面を構成するバイオスキン１２ａと、後頭部側に設けられ、バイオスキン１２ａを支持する支持板１２ｂと、バイオスキン１２ａと支持板１２ｂの間に充填された充填部材１２ｃとを備えている。バイオスキン１２ａは、実際の肌と同様の感触を得られるようウレタンエラストマー等の合成樹脂から構成されている。支持板１２ｂには、固定板１４に装着するための複数のねじ穴１２ｄが形成されており、充填部材１２ｃは、人体の顔面と同様の弾性を得られるように発泡ウレタンなどから構成されている。
【００１３】
固定板１４は、硬質な樹脂又は金属など硬質な材料から構成されており、正方形状に形成されている。固定板１４は、その表面側１４ａに被マッサージ部材本体１２の支持板１２ｂの全域が面接触するのに十分な面積を有する。固定板１４には、被マッサージ部材本体１２の支持板１２ｂに形成された複数のねじ穴１２ｄと整合するように、複数のねじ穴１４ｃが形成されており、これらねじ穴を介してねじ１５を螺合することによって、被マッサージ部材本体１２を固定板１４に装着することができる。また、固定板１４の底面１４ｂ側には、固定板１４の縁又はその内側近傍に沿った枠状のフランジ部材（移動防止部材）１６がねじ１８を介して設置されている。このフランジ部材１６の内縁１６ａは、フランジ部材１６が後述するセンサ部材２０のセンサ板２６を覆うように、センサ板２６の外縁２６ａとほぼ同一形状、すなわちセンサ板２６の外縁２６ａと同一又はそれよりも若干大きめに形成されている。本実施形態において、フランジ部材１６を被マッサージ部材１０に設けたが、センサ部材２０に設けても良く、その場合、固定板１４の外縁の大きさをフランジの内縁とほぼ同一形状に形成される。このような構成を備えることにより、センサ部材２０に対して、被マッサージ部材１０を容易に着脱でき、人体の他の部位の被マッサージ部材１０への交換が簡易となる。
【００１４】
センサ部材２０は、図１、２及び４に示すように、いわゆるフォースプレート２２と、フォースプレート２２を支持する支持台２４とを備えている。フォースプレート２２は、正方形状なセンサ板２６と、センサ板２６の四隅近傍それぞれに設けられた第１乃至第４のセンサ２８ａ乃至２８ｄとを備えている。第１乃至第４のセンサ２８ａ乃至２８ｄそれぞれは、被マッサージ部材１０の表面に付加された荷重を測定可能に構成されている。本実施例において、センサは、４つ設けたが、Ｚ軸方向（高さ方向）の荷重のみを測定する場合は、一つでも良く、Ｚ軸方向だけでなく、Ｘ軸方向及びＹ軸方向（平面方向）の荷重も測定する場合は、平面方向の異なる位置に少なくとも３つ設ければ良い。センサ２８ａ乃至２８ｄとしては、ひずみゲージ式ロードセルや磁歪式ロードセル、静電容量型ロードセルなどを用いることができる。
【００１５】
本実施形態において、被マッサージ部材１０は、フランジ部材１６内にフォースプレート２２をはめ込んでセンサ部材２０上に載置することによって、センサ部材２０に装着することができる。この際、フランジ部材１６の内縁１６ａとフォースプレート２２のセンサ板２６の外縁２６ａがほぼ同一形状に形成されているので、施術者が被マッサージ部材１０を押圧して平面方向に力が加わっても、被マッサージ部材１０がセンサ部材２０に対して移動することはないく、正確に平面方向の荷重を測ることができる。
【００１６】
本実施形態において、被マッサージ部材１０は、人の顔面を模したものを用いたが、これに限定されず、人のふくらはぎやデコルテなどを模したものでも良い。本実施形態において、被マッサージ部材１０は、センサ部２０と別体に構成されているので、被マッサージ部材１０を安価に得ることができ、様々な部位への交換コストを抑えることができる。また、このようにセンサ部２０を別体とすることによって、被マッサージ部材１０を他の部位のものに交換する場合であっても、センサとその処理装置の接続を再度行う必要がなくなるので、様々な部位への交換が容易である。。
【００１７】
パーソナルコンピュータ６０が、第１乃至第４のセンサ２８ａ乃至２８ｄからの荷重データを受信すると、データ処理部３０は、これら荷重データを時間と関連付けて記憶するとともに、図５に示すような時間を横軸、荷重を縦軸とするグラフを作成し、そのグラフを表示部５０に表示する。
【００１８】
データ処理部３０によって作成されるグラフは、Ｘ軸方向、Ｙ軸方向及びＺ軸方向それぞれに加えられた荷重変化に基づくことができる。Ｘ軸方向やＹ軸方向の荷重変化は、４つのセンサ２８ａ乃至２８ｄそれぞれの位置及び差分から求めることができ、Ｚ軸方向の荷重変化は、例えば４つの圧力センサ２８ａ乃至２８ｄの平均値などから求めることができる。
【００１９】
具体的には、図６（ａ）に示すように、荷重の中心位置を示す荷重中心点２９に、垂直下方向の力を加えた場合、図６（ｂ）に示すようなＺ軸方向の波形グラフが得られる。ここで、波形グラフは、時間を横軸、荷重を縦軸としている。また、図７（ａ）に示すように、荷重中心点２９から下方及び右方向に力を加えた場合、図７（ｂ）に示すようなＺ軸方向とＸ軸方向の波形グラフが得られる。さらに、図８（ａ）に示すように、荷重中心点２９から下方及び奥方向に力を加えた場合、図８（ｂ）に示すようなＺ軸方向とＹ軸方向の波形グラフが得られる。さらにまた、図９（ａ）に示すように、荷重中心点２９から下方及び右斜め奥方向に力を加えた場合、図９（ｂ）に示すようなＺ軸方向、Ｘ軸方向及びＹ軸方向の波形グラフが得られる。
【００２０】
本実施形態に係るマッサージ手技評価装置１を用いる場合、先ず、熟練者が一通り施術を行い、熟練者のデータを記憶する必要がある。次に、手技評価を受ける施術者の施術を開始すると、記憶された熟練者のデータが点線で表示可能な全時間に亘って表示部５０に表示され、施術者のデータは、実線でリアルタイムに表示部５０に表示させる。このように、予め記録されたデータとリアルタイムのデータを同時に表示できるため、施術者は、熟練者との力加減の違いを表示部５０から認識できる。
【００２１】
また、本実施形態に係るマッサージ手技評価装置１は、グラフにした際の荷重変化のピーク値が閾値を超えた場合に、警報発生部４０から警報を発するよう構成されている。すなわち、図１０に示すように、表示部５０に荷重変化の上限７２ａ及び下限７２ｂが表示され、荷重変化のピークが上限７２ａ又は下限７２ｂを超えた場合に、警報を発する。警報としては、例えばスピーカを設けて警報音を発したり、ＬＥＤライトなどを設けて警報光を発することができる。警報が警報音の場合、施術者は、表示部５０を見ていなくても、力の入れ過ぎを認識することができる。
【００２２】
また、本実施形態に係るマッサージ手技評価装置１は、例えば、マッサージクリーム等の製剤を使用している場合と使用しない場合それぞれを評価し、加減の違いを比較することによって、製剤開発に役立てることができる。
【符号の説明】
【００２３】
１０  被マッサージ部材
１６  フランジ部材（移動防止部材）
２０  センサ部材
２８ａ乃至２８ｄ  センサ
３０  データ処理部
４０  警報発生部
５０  表示部
【図１】
2020173298.tif 000003
【図２】
2020173298.tif 000004
【図３】
2020173298.tif 000005
【図４】
2020173298.tif 000006
【図５】
2020173298.tif 000007
【図６】
2020173298.tif 000008
【図７】
2020173298.tif 000009
【図８】
2020173298.tif 000010
【図９】
2020173298.tif 000011
【図１０】
2020173298.tif 000012